(57)【特許請求の範囲】
【請求項１】
光源からの照射光が分光された３色の色光をそれぞれ入射しかつ当該色光を透過して画像を形成する３枚の液晶パネルと、前記３枚の液晶パネルでそれぞれ形成された画像を合成するクロスダイクロイックプリズムと、前記クロスダイクロイックプリズムに対して前記３枚の液晶パネルを挟んで反対側にそれぞれ設けられた３組の偏光板及びコンデンサレンズとを含み、前記３枚の液晶パネルが前記クロスダイクロイックプリズムの周囲３面にそれぞれ対向して配置された液晶プロジェクタの冷却構造であって、
前記液晶パネル及び前記偏光板を冷却するための冷却風を発生するファンと、前記３枚の液晶パネルと前記クロスダイクロイックプリズムの前記３枚の液晶パネル各々に対向する面との間に形成されかつ前記冷却風が通過する第１の流路と、前記３枚の液晶パネルと前記３枚の液晶パネル各々に対応する前記３組の偏光板との間に形成されかつ前記冷却風が通過する第２の流路とを有し、
前記第１及び第２の流路を通過する前記冷却風で前記３枚の液晶パネルと前記３組の偏光板とを順次冷却することを特徴とする冷却構造。
【請求項２】
前記第１及び第２の流路にそれぞれ前記冷却風を流入するための流入口と、前記第１及び第２の流路をそれぞれ通過した前記冷却風を排出する排出口とを含み、
前記第１の流路は、前記流入口と、前記３枚の液晶パネルと前記クロスダイクロイックプリズムの前記３枚の液晶パネル各々に対向する面との間の隙間と、前記排出口とを繋いでＵ字形に構成し、
前記第２の流路は、前記流入口と、前記３枚の液晶パネルと前記３組の偏光板との間の隙間、前記排出口とを繋いでＵ字形に構成したことを特徴とする請求項１記載の冷却構造。
【請求項３】
前記ファンは、最初に冷却風で冷却される液晶パネルの透過面と平行に配置するよう構成したことを特徴とする請求項１または請求項２記載の冷却構造。
【発明の詳細な説明】
【０００１】
【発明の属する技術分野】
本発明は液晶プロジェクタの冷却構造に関し、特に液晶プロジェクタに用いられる液晶パネルの冷却構造に関する。
【０００２】
【従来の技術】
従来、液晶プロジェクタ冷却構造においては、図２（ａ）及び図２（ｂ）に示すように、ＸＤＰ（クロスダイクロイックプリズム）１２の３辺に液晶パネル１３〜１５が配置され、それらの周囲にそれぞれ偏光板１７ａ〜１７ｃとコンデンサレンズ１６ａ〜１６ｃとが配置されている。
【０００３】
液晶パネル１３〜１５及び偏光板１７ａ〜１７ｃは入射した照明光の吸収による発熱を放熱するための冷却が必要である。そのため、上記のＸＤＰ１２と液晶パネル１３〜１５と偏光板１７ａ〜１７ｃとからなるユニットの下方にファン２１を設け、図２（ｂ）において下から上への方向に風を流して冷却を行っている。尚、図２（ａ）及び図２（ｂ）において、１１は投写レンズを、２０はフィルタをそれぞれ示している。
【０００４】
【発明が解決しようとする課題】
パーソナルコンピュータにおいてはその小型高機能化と低価格化とによって、一般に広く普及するとともに、電子プレゼンテーションの利用が広まってきている。これに伴って、プロジェクタの必要性が高まってきており、特に投写性能（明るさ、解像度、色再現性等）の向上とともに、小型・薄型・軽量化を目的として開発が進められている。
【０００５】
上述した従来の液晶プロジェクタは液晶パネルの下に冷却ファンを配置するため、構造的に厚くなるという課題がある。つまり、パーソナルコンピュータの小型化・高機能化に伴い、移動先でのプレゼンテーションの用途が増えているのに対し、液晶プロジェクタは大きくかつ厚いため、携帯性や可搬性に大きな問題を抱えている。
【０００６】
そこで、本発明の目的は上記の問題点を解消し、小型化及び薄型化を図ることができ、携帯性・可搬性に優れる液晶プロジェクタの冷却構造を提供することにある。
【０００７】
【課題を解決するための手段】
本発明による液晶プロジェクタの冷却構造は、光源からの照射光が分光された３色の色光をそれぞれ入射しかつ当該色光を透過して画像を形成する３枚の液晶パネルと、前記３枚の液晶パネルでそれぞれ形成された画像を合成するクロスダイクロイックプリズムと、前記クロスダイクロイックプリズムに対して前記３枚の液晶パネルを挟んで反対側にそれぞれ設けられた３組の偏光板及びコンデンサレンズとを含み、前記３枚の液晶パネルが前記クロスダイクロイックプリズムの周囲３面にそれぞれ対向して配置された液晶プロジェクタの冷却構造であって、前記液晶パネル及び前記偏光板を冷却するための冷却風を発生するファンと、前記３枚の液晶パネルと前記クロスダイクロイックプリズムの前記３枚の液晶パネル各々に対向する面との間に形成されかつ前記冷却風が通過する第１の流路と、前記３枚の液晶パネルと前記３枚の液晶パネル各々に対応する前記３組の偏光板との間に形成されかつ前記冷却風が通過する第２の流路とを備え、
前記第１及び第２の流路を通過する前記冷却風で前記３枚の液晶パネルと前記３組の偏光板とを順次冷却している。
【０００８】
すなわち、本発明の液晶プロジェクタの冷却構造は、ＸＤＰ（クロスダイクロイックプリズム）の３面に並んだ液晶パネルの片端部より冷却風を吹き込み、３枚の液晶パネル面を順次流れように構成している。上記のように構成することで、小型化及び薄型化を図り、携帯性・可搬性に優れる液晶プロジェクタが実現可能となる。
【０００９】
【発明の実施の形態】
次に、本発明の一実施例について図面を参照して説明する。図１は本発明の一実施例による液晶プロジェクタの構造を示す平面図である。図１において、本発明の一実施例による液晶プロジェクタは投写レンズ１と、ＸＤＰ２と、その周りに配置された液晶パネル３〜５と、上記のＸＤＰ２に対して液晶パネル３〜５を挟んで反対側にそれぞれ設けられた偏光板７ａ〜７ｂ及びコンデンサレンズ６ａ〜６ｃと、冷却用のシロッコファン８と、冷却風の流路９と、フィルタ１０ａ，１０ｂとから構成されている。
【００１０】
本発明の一実施例による液晶プロジェクタでは、図示せぬ光源から照射された光を赤、緑、青のそれぞれの色光に分光し、上記３枚の液晶パネル３〜５にそれぞれの色光を入射し、液晶パネル３〜５を透過する時に画像を形成し、ＸＤＰ２によって分割されていた色光を合成して投写レンズ１で投写するように構成されている。ここで、液晶パネル３は赤用または青用、液晶パネル４は緑用、液晶パネル５は青用または赤用である。
【００１１】
図１を参照すると、それぞれの液晶パネル３〜５と偏光板７ａ〜７ｂとの間には冷却風の流路９が設けられており、シロッコファン８より吐出される冷却風は流路９に沿って（図１中の矢印の方向）流れ、各液晶パネル３〜５をＵ字の形に経由して排出される。この流路９に沿って流れる冷却風によって、各液晶パネル３〜５及び偏光板７ａ〜７ｂが冷却されることとなる。
【００１２】
シロッコファン８は液晶パネル３〜５の横に、つまり最初に冷却風で冷却される液晶パネル３の透過面と平行に配置されている。また、上記のシロッコファン８の吸気部及び冷却風の排出部にはそれぞれフィルタ１０ａ，１０ｂを設けてあり、ごみやホコリの侵入による画質の劣化を防止している。
【００１３】
このように、冷却用のシロッコファン８を液晶パネル３〜５の横に配置することで、シロッコファン８の厚みが液晶プロジェクタの厚みに影響しなくなるため、小型化及び薄型化を図ることができ、携帯性・可搬性に優れる液晶プロジェクタを実現することができる。
【００１４】
【発明の効果】
以上説明したように本発明によれば、光源からの照射光が分光された３色の色光をそれぞれ入射しかつ当該色光を透過して画像を形成する３枚の液晶パネルと、３枚の液晶パネルでそれぞれ形成された画像を合成するクロスダイクロイックプリズムと、クロスダイクロイックプリズムに対して３枚の液晶パネルを挟んで反対側にそれぞれ設けられた３組の偏光板及びコンデンサレンズとを含む液晶プロジェクタにおいて、液晶パネル及び偏光板を冷却するための冷却風を発生するファンを備え、３枚の液晶パネルと３組の偏光板とを冷却風で順次冷却するよう構成することによって、小型化及び薄型化を図ることができ、携帯性・可搬性に優れる液晶プロジェクタを実現することができるという効果がある。
【図面の簡単な説明】
【図１】本発明の一実施例による液晶プロジェクタの構造を示す平面図である。
【図２】（ａ）は従来例による液晶プロジェクタの構造を示す平面図、（ｂ）は従来例による液晶プロジェクタの構造を示す側面図である。
【符号の説明】
１  投写レンズ
２  ＸＤＰ
３〜５  液晶パネル
６ａ〜６ｃ  コンデンサレンズ
７ａ〜７ｂ  偏光板
８  シロッコファン
９  冷却風の流路
１０ａ，１０ｂ  フィルタ
【図１】
0003673692.tif 000002
【図２】
0003673692.tif 000003